(57)【要約】【課題】ゴルフボールの汚れを落す拭き布は、適正な濡れ状態が保持され且つ、他の汚れが付着することがなくパターのヘッドカバーに拭き布入れ収納部を備えたゴルフボール拭き布収納部付きパターのヘッドカバーの技術を提供する。【解決手段】該拭き布付きパターのヘッドカバーＡは、外周面は防水性の高い人工革や布等で覆われており内面側は起毛布等で構成されている。しかして、該拭き布付きパターのヘッドカバーＡは、ヘッドカバー本体部１ａと拭き布入れ収納部１ｂから成り、断面略Ｕ字形に形成されかつトンネル形状に構成された拭き布入れ収納部１ｂの一方端側１ｂ１は、ヘッドカバー本体部１ａの背面端側１ａ１の一方端側１ａ２を所定の幅で延長して一体的に形成されている。【選択図】図１
2004249085.tif 000002
【特許請求の範囲】
【請求項１】
ゴルフボール拭き布の収納部をパターヘッドカバーに形成したことを特徴とするゴルフボール拭き布収納部付きパターのヘッドカバー。
【請求項２】
ボール拭き布を収納する収納部を着脱自在に装着したことを特徴とするゴルフボール拭き布収納部付きパターのヘッドカバー。
【請求項３】
前記収納部が密閉状の袋体で構成されると共に開放閉止自在の開口部を備えたことを特徴とする請求項１又は２記載のゴルフボール拭き布収納部付きパターのヘッドカバー。
【請求項４】
前記収納部が断面略Ｕ字状のトンネル形状で構成されたことを特徴とする請求項１又は２記載のゴルフボール拭き布収納部付きパターのヘッドカバー。
【請求項５】
前記収納部が断面略Ｕ字状であって一方端及び／又は他方端を閉塞したトンネル形状で構成されたことを特徴とする請求項１又は２記載のゴルフボール拭き布収納部付きパターのヘッドカバー。
【発明の詳細な説明】
【技術分野】
【０００１】
本発明は、ゴルフ競技におけるグリーン上で使用するパターのヘッドカバーに係るものであり、グリーン上では、土砂などで汚れたボールをきれいに拭き取り、ボールの転がりにイレギラーが生じないようにするためのボール拭き布が欠かせない必需品である。そのため、該ボール拭き布は、随時必要に応じて使用出来るように常に身近な所に保管し得るが、本発明は、特に、パターのヘッドカバーに上記ボール拭き布を必要に応じて出し入れする収納部を備えた技術に関する。
【背景技術】
【０００２】
従来、ボール拭き布は、プレー時に同伴するキャデーが準備しており、グリーン上では付着した土砂等で汚れたボールをキャデーに拭いてもらっていたが、近時に於ける一般大衆層のゴルフ場ではキャデー無しのセルフプレイによるものが多くなって来ており、このためグリーン上でのボールの汚れは、各自が自分で準備した拭き布で汚れたボールを清掃しなければならなくなって来ている。しかして該ボール拭き布は、各コースへ移動するカート等へキャデーバッグと共に置いておき、グリーン上に来たとき、パターと共に持参し、必要に応じて使用していた。しかしながら、しばしば該拭き布の持参を失念し、パターのみを持ってプレーに臨むことがある。そしてボールを芝や手等でこすって汚れを落とそうとするが汚れ落しが完全でなく、ボールの転がりに悪影響を及ぼし余分な打数を加えてしまうことがあった。そしてカートに準備している濡れたボール拭き布を持ってグリーン上へ行くのは、特に寒い季節においては不快なものである。
又、汚れたボールを拭いたのち、該拭き布を芝等の上に置くと、土砂等が付着し易く、土砂が付着した拭き布は振り払い等で土砂を除去するが、拭き布は濡れているため完全に土砂等を落しきれないままで次にボールを拭くことがある。そのために拭き布に残った土砂等でボールの表面に傷を付けてしまいボールの飛距離や飛び方向に悪影響を与えることもあった。このような土砂の付着した拭き布でボールを拭くのは手触りも不快なものであった。
【０００３】
更に、ボール拭き布が上記の様な通常の使用状態では、拭き布は常時外気に晒されているため、季節及び天候等により差異は生ずるが、ラウンドの途中で乾燥してしまい、ボールに付着した土砂を良く拭き落とすことが困難になり、ボールの転がり動作に悪影響を与えてしまうことも有った。そのため拭き布に水分を加えるため水場を求めなければならない等の煩わしさもあった。
【０００４】
上述の如く、ボール拭き布は、ボールの汚れを確実に清掃すると共に常に身近な所に確保出来ることが望まれていたが従来より、ヘッドカバー自体にボール拭き布を収納する構成を満足させる用具は存在しなかった。尚、ゴルフクラブ用ヘッドカバーについて特開２００２−１３６６２７に開示しているがボール拭き布の収納部については備えていない。
【特許文献１】特開２００２−１３６６２７公開特許公報
【発明の開示】
【発明が解決しようとする課題】
【０００５】
以上述べたようにボールの拭き布は、グリーン上でのプレーを行う際、パターの使用時にその必要性が生ずるため、パターヘッドを保護するパター用ヘッドカバーに取り付けることが最善と考えられるが、従来のパター用ヘッドカバーは図８に示す如く構成され、単にパターヘッドの保護のみを目的とするものであった。以下従来のパター用ヘッドカバーにつき説明する。
図８においてｇは、パター用ヘッドカバーである。該パター用ヘッドカバーｇは、略幼児の靴を上下逆にしたような形態を構成し、背面端側ｇ１は、自在に開放及び閉着が出来るように、該背面端側ｇ１の一方端側ｇ２及び他方端側ｇ３のそれぞれ内面側にはそれぞれ異種のマジックテープｇ４、ｇ４が縫合又は接着等の手段で固着されている。しかして、背面端側ｇ１のマジックテープｇ４、ｇ４を開放し及び閉着することによりパターヘッドＢを該パター用ヘッドカバーｇへ装着し及び取り外しをするものである。また、従来の技術としては背面端側ｇ１はスライドファスナにより開放または閉着するものや下端側ｇ５のみを閉止する構成もある。以上説明した如く、パター用ヘッドカバーｇは、単にパターヘッドの保護のみを目的として構成されそのパターを使用する際に必要となるボール拭き布又はボール拭き布収納部に関しては、具備しておらず上述した欠点を有していた。本発明が解決しようとする課題は従来の技術で述べた構成の欠点を解決することにある。
【課題を解決するための手段】
【０００６】
グリーン上でゴルフプレイするとき、本発明に係るゴルフボール拭き布収納部付きパターのヘッドカバーの収納部には、ボール拭き布が収納されているため、ボール拭き布の持ち忘れが解消されるのでプレイに専念することが出来、使用したボール拭き布は、再びヘッドカバーに収納して保管出来るため、グリーンに置くことによる該ボール拭き布に余分な土砂が付着することもなく、移動時も収納部に入れた状態で保持され、ラウンドを通して該ボール拭き布を乾燥することもないうえに、ボール拭きに適した濡れ状態を保つことが出来ることを目的としたものであって、次の構成、手段から成立する。
【０００７】
上記課題を解決するための請求項１に記載された発明は、ゴルフボール拭き布の収納部をパターヘッドカバーに形成したことを特徴とするゴルフボール拭き布収納部付きパターのヘッドカバーを提供する。
【０００８】
請求項２に記載された発明は、ボール拭き布を収納する収納部を着脱自在に装着したことを特徴とするゴルフボール拭き布収納部付きパターのヘッドカバーを提供する。
【０００９】
請求項３に記載された発明は、前記収納部が密閉状の袋体で構成されると共に開放閉止自在の開口部を備えたことを特徴とする請求項１又は２記載のゴルフボール拭き布収納部付きパターのヘッドカバーを提供する。
【００１０】
請求項４に記載された発明は、前記収納部が断面略Ｕ字状のトンネル形状で構成されたことを特徴とする請求項１又は２記載のゴルフボール拭き布収納部付きパターのヘッドカバーを提供する。
【００１１】
請求項５に記載された発明は、前記収納部が断面略Ｕ字状であって一方端及び／又は他方端を閉塞したトンネル形状で構成されたことを特徴とする請求項１又は２記載のゴルフボール拭き布収納部付きパターのヘッドカバーを提供する。
【発明の効果】
【００１２】
本発明に係るゴルフボール拭き布収納部付きパターのヘッドカバーは上述の構成、作用を有するので次の効果を奏する。
すなわち、パター用ヘッドカバーに拭き布入れ収納部が設けられているので、グリーン上でのゴルフプレイにおいてボールの汚れを落す拭き布の持ち忘れが解消される。また、ボールの汚れを落す拭き布は、パター用ヘッドカバーの拭き布収納部に入れて持ち運びされるので余分な土砂の付着を防止出来る。また、ボール拭き布は、使用時以外常に拭き布入れ収納部に入れて運ばれるため、外気との接触も少くなり、適度の濡れ状態の保持が容易となり、晴天又は雨天でもボール拭き布としてより安定した状態を維持出来る。また、ボール拭き布が常に身近な所に確保出来るため、ボール汚れによるパッテングの距離や方向等の正確性に於けるトラブルが解消され、より楽しいプレイが出来る。また、ボールの拭き布入れ収納部が着脱自在に出来るため、従来のパター用ヘッドカバーを利用して構成することができ、安価で汎用性の高い拭き布入れ収納部付きパター用ヘッドカバーを提供出来る等種々の効果がある。
【発明を実施するための最良の形態】
【００１３】
本発明に係るゴルフボール拭き布収納部付きパターのヘッドカバーに於ける実施の形態について添付図面に基づき詳細に説明する。
【００１４】
図１及び図２において、Ａは本発明に係る拭き布付きパターのヘッドカバーの好適な実施例である。該拭き布付きパターのヘッドカバーＡは、外周面は防水性の高い人工革や布等で覆われており内面側は起毛布等で構成されている。しかして、該拭き布付きパターのヘッドカバーＡは、ヘッドカバー本体部１ａと拭き布入れ収納部１ｂから成り、断面略Ｕ字形に形成されかつトンネル形状に構成された拭き布入れ収納部１ｂの一方端側１ｂ１は、ヘッドカバー本体部１ａの背面端側１ａ１の一方端側１ａ２を所定の幅で延長して一体的に形成されている。尚、拭き布入れ収納部１ｂ内には拭き布が収納されるが図示していない。又ヘッドカバー本体部１ａは略幼児の靴を上下逆にした形態をなし、背面端側１ａ１の近傍には、互に対面する内面側にそれぞれ異種のマジックテープ１ａ４、１ａ４が縫合又は接着等して設けられて、該背面端側１ａ１は、開口及び閉着を自在にしている。つまり、前記一方端側１ａ２と前記他方端側１ａ３の各々の内面に異種のマジックテープ１ａ４、１ａ４を貼着、縫合又は接着等して固着する。又背面端側１ａ１の他方端側１ａ３の端面近傍の外側面にはマジックテープ１ａ５を設けて、対応する拭き布入れ収納部１ｂの他方端側１ｂ２の端面近傍の内面側に設けたマジックテープ１ｂ３を設け、このマジックテープ１ｂ３を上記マジックテープ１ａ５に圧着させ又は離反させて開口及び閉着を自在にし、上記拭き布（図示せず）を拭き布入れ収納部１ｂ内に出し入れしている。
なお、上記マジックテープ１ａ４、１ａ４及び１ｂ３、１ａ５とでヘッドカバー本体部１ａの背面端側１ａ１や拭き布入れ収納部１ｂを自在に開口し及び閉着し得る機能を持つ他の部品例えばスナップやスライドファスナー等で代用することができる。以下各実施例を示す図３ないし図７も同様である。
【００１５】
かくして、パターヘッドＢを該拭き布付きパターのヘッドカバーＡ内に装着及び取出す際は、前記拭き布入れ収納部１ｂの他方端側１ｂ２の内面側に設けたマジックテープ１ｂ３をマジックテープ１ａ５から離脱し、該他方端側１ｂ２を開き、続いてヘッドカバー本体部１ａの背面端側１ａ１の一方端側１ａ２と他方端側１ａ３の内面に設けたマジックテープ１ａ４、１ａ４を相互に離脱させ背面端側１ａ１を開放するものである。更に、断面略Ｕ字状に確保された拭き布入れ収納部１ｂの下方端１ｂ４すなわち他方端には、所定のＵ字状が確保されるように底部１ｂ５を設け又はこの部分を閉塞して拭き布（図示せず）の脱落等を防止する。かくして拭き布は、拭き布入れ収納部１ｂの上部の開口部１ｂ６つまり一方端から取り出し及び収納が容易に出来るものである。尚、前記底部１ｂ５すなわち他方端は必ずしも必要とせず、即ち底部１ｂ５がない場合は、拭き布をヘッドカバー本体部１ａの背面端側１ａ１の端面部に押し当る状態で拭き布入れ収納部１ｂの他方端側１ｂ２を引張り気味にし、捲き抑えて閉じることにより拭き布を収納することも出来る。そして、当該拭き布（図示せず）はゴルフプレイに際し、所定の濡れ状態で該拭き布入れ収納部１ｂに内に収納してある。
拭き布入れ収納部１ｂの開口部１ｂ６と底部１ｂ５を逆の位置構成とし、そして、該一方端を閉塞し、該他方端を開放することもできる。更に、この変形例として開口部１ｂ６及び底部１ｂ５の両者を閉塞することもできる。
そして、上記実施の形態は拭き布入れ収納部１ｂを該ヘッドカバーＡの背面部に備えたことを特徴としているが、本発明はこれに限定されず、正面部や上、下面部又は両側面部等適宜の部位に配置してもよい。
尚、上記した一方端側１ｄ２及び他方端側１ａ３が予め一体形成されて開口されていないヘッドカバー本体部１ａで構成したヘッドカバーを構成してもよい。
【実施例１】
【００１６】
次に実施例１を示す図３及び図４について説明する。Ｃは本発明に係る拭き布付きパターのヘッドカバーである。該拭き布付きパターのヘッドカバーＣは、前記最良の実施形態と同様にヘッドカバー本体部１ｃと拭き布入れ収納部１ｄとからなり、外周面は防水性の高い人工革や布等で覆われており、内面側は起毛布等で構成されている。しかして、ヘッドカバー本体部１ｃは、略幼児の靴を上下逆にした形態をなし、背面端側１ｃ１は、開口及び閉着が自在に出来るように内側内面にそれぞれマジックテープ１ｃ２、１ｃ２が対向して縫合又は接着等して貼着かつ固着されている。しかして、パターヘッドＢのヘッドカバー本体部１ｃからの取り外し及びヘッドカバー本体部１ｃへの装着は、背面端側１ｃ１を開口することにより安易になし得るものである。又拭き布入れ収納部１ｄは断面略Ｕ字状に形成されかつトンネル形状に構成されて図４に示す一方端側１ｄ１は、前記ヘッドカバー本体部１ｃの一方の外側面の所定位置へ縫合又は接着等して貼着かつ固着し、対向する他方端側１ｄ２にはその内面に所定の長さで帯状にマジックテープ１ｄ３を固着している。しかして、ヘッドカバー本体１ｃの他方の外側面にマジックテープ１ｃ３を固着し該マジックテープ１ｄ３を該マジックテープ１ｃ３に接合して拭き布入れ収納部１ｄを上記ヘッドカバーｅに固着するものである。そして、断面略Ｕ字状に形成されかつトンネル形状に構成された拭き布入れ収納部１ｄは、トンネル形状の一方端、他方端のいずれか１方のみ開口とし他方は塞いで拭き布入れの底部１ｄ４を設け又は閉塞し、また、その一方端及び他方端の両者を閉塞してもよい。また、上述した図４に示す拭き布入れ収納部１ｄの一方端側１ｄ１を背面側１ｃ１に縫合する構成を示したが本発明はこれに限定されずマジックテープを該一方端側１ｄ１の内面側及びヘッドカバー本体部１ｃの一方の外側面にそれぞれ配備し、この両者を接合又は離脱する構成としてもよい。
尚、上記した背面側１ｃ１が開口していないヘッドカバー本体部１ｃでヘッドカバーを構成してもよい。
【実施例２】
【００１７】
次に、実施例２を示す図５及び図６について説明する。図５においてｅは拭き布入れ収納部である。該拭き布入れ収納部ｅは、断面略Ｕ字状で拭き布収納に適した所定の長さでトンネル形状に形成されており、断面略Ｕ字状の拭き布入れ収納部ｅの両端部ｅ１、及びｅ２から長さ方向のそれぞれの内面側には端面ｅ３及びｅ４に沿って同種のマジックテープｅ５、ｅ５がそれぞれ固着されている。更に断面略Ｕ字状でトンネル形をなす開口部ｅ６すなわち一端側、他端側のいずれか一方を所定の範囲で塞ぎ略Ｕ字状の形態を保持し易くかつ拭き布を挿入したときの脱落を防止するため底部ｅ７を設け又は閉塞する。尚、前記底部ｅ７を設ける場合、該底部の部材は柔軟性と防水性の良いものが望まれる。即ち、略Ｕ字状の拭き布入れ収納部ｅの両端部ｅ１及びｅ２の間隔を特定することなく適宜長の範囲内として図６で説明するパター用ヘッドカバー本体ｆの大きさや形状等の各種に適用させることが出来る。
【００１８】
続いて図６について説明する。図６においてｆは、パター用のヘッドカバー本体である。該ヘッドカバー本体部ｆは、図５に示す前記拭き布入れ収納部ｅを所望する部位に取付けて拭き布入れ付パター用ヘッドカバーを形成するものである。図６においてｆ１およびｆ２は該ヘッドカバー本体部ｆの外側面に縫合又は接着したそれぞれのマジックテープである。該マジックテープｆ１及びｆ２は図示しないが対向する反対側の外側面にもそれぞれ同様に設けられている。該マジックテープｆ１、ｆ２及びその反対側のマジックテープ（図示せず）は図５に示す前記拭き布入れ収納部ｅに設けられたマジックテープｅ５、ｅ５と接着し合体し得るものである。かくして、例えば、マジックテープｆ１及びその反対側のマジックテープ（図示せず）に前記拭き布入れ収納部ｅのマジックテープｅ５、ｅ５を対応させて接着結合せしめると、本発明の最良の実施の形態を示す前記図１及び図２で説明した本発明の構成を有する拭き布入れ収納部付きパター用ヘッドカバーと略同等の形態となるものである。そして例えば、マジックテープｆ２及びその反対側のマジックテープ（図示せず）に前記拭き布入れ収納部ｅのマジックテープｅ５、ｅ５を対応させて接着結合すると、本発明の実施例１を示す前記図３及び図４で説明した構成を有する拭き布収納部付パター用ヘッドカバーと略同等の形態となるものである。図６に示すヘッドカバー本体部ｆにおいては、マジックテープｆ１及びマジックテープｆ２の配置位置の一例を示したが、本発明はこの位置に限定されることなく、所望するヘッドカバー本体ｆの周辺の適宜部位にマジックテープを設けることで拭き布入れ収納部付きパター用ヘッドカバーを構成することが出来るものである。尚又、ヘッドカバー本体部ｆは、従来のもの例えば市販されている構成を採用し、マジックテープを所望する部位に接着し又は縫合する等で固着することにより、簡易に構成することができる特徴を備えるものである。
尚、本発明はヘッドカバー本体部ｆの背面端側が開口していない構成も適用される。
【実施例３】
【００１９】
本発明に係るゴルフボール拭き布収納部付きパターのヘッドカバーに於ける実施例３について図７に基づき詳細に説明する。
【００２０】
図７において、Ｄは本発明に係る拭き布付きパターのヘッドカバーの実施例である。該拭き布付きパターのヘッドカバーＤは、外周面は防水性の高い人工革や布等で覆われており内面側は起毛布等で構成されている。しかして、該拭き布付きパターのヘッドカバーＤは、ヘッドカバー本体部２ａと拭き布入れ収納部２ｂから成り、この拭き布入れ収納部２ｂは密閉状の袋体で構成され、例えば、断面略Ｕ字形に形成されかつトンネル形状に構成された拭き布入れ収納部となっている。その一方端側２ｂ１又は外側面２ｂ２は、ヘッドカバー本体部２ａの外側面２ａ１に縫合され又はマジックテープ等により一体的に着脱自在又は固着された状態で固定されている。尚、拭き布入れ収納部２ｂ内には拭き布が予め収納されるが図示していない。又ヘッドカバー本体部２ａは略幼児の靴を上下逆にした形態をなし、背面端側２ａ２のそれぞれの内面側には異種のマジックテープ３ａ、３ｂが縫合又は接着等して設けられて、該背面端側２ａ２は、その開口部２ａ３を自在に開口し及び閉着している。つまり、前記背面端側２ａ２の各々の内面に異種のマジックテープ３ａ、３ｂを貼着、縫合又は接着等してその両者を圧着して接合する。
なお、上記マジックテープ３ａ、３ｂを他の部品例えばスライドファスナーやスナップ等で代用することができる。
【００２１】
上記拭き布入れ収納部２ｂは例えば樹脂材料、繊維材料又は防水性の高い人工革材料等各種の材料で成型されるものであって、全体が略袋体を構成しており、ヘッドカバー本体部２ａの背面方向側にその開口部２ｂ３を備え、この開口部２ｂ３から適宜に濡れ状態になった拭き布（図示せず）を収納しており必要に応じて取出しゴルフボールの表面の汚れを払拭する。該開口部２ｂ３にはこれを開放又は閉止自在とするフックやチャック等で構成される開放閉止部材２ｂ４を備え、該開放閉止部材２ｂ４に固着した止め金具２ｂ５を可動することにより上記開口部２ｂ３の開放及び閉止を行なう。
尚、上記開口部２ｂ３及び開放閉止部材２ｂ４はヘッドカバー本体部２ａのいずれの部位例えば正面側や上、下面側に設置してもよく、また、ヘッドカバー本体部２ａの上面側から背面部に渉り、更に下面側に延在させいわゆる略コ字状の如く一連に周回して設置することも可能である。また、上記拭き布入れ収納部２ｂは全体が袋体で構成されてあって、断面略Ｕ字状に確保された拭き布入れ収納部２ｂの下方端２ｂ６すなわち他方端には、所定の断面略Ｕ字状が確保されるように底部２ｂ７を設け又はこの部分を閉塞して拭き布（図示せず）の脱落等を防止する。かくして拭き布は、拭き布入れ収納部２ｂの上方端２ｂ８つまり一方端も閉塞した構成となっている。前記上方端２ｂ８及び底部としての下方端２ｂ７は前述したように略コ字状の開放閉止部材２ｂ４を配置することにより開放及び閉止自在となる。
そして、上記実施例３は拭き布入れ収納部２ｂを該ヘッドカバーＤの一方の外側面２ａ１に備えたことを特徴としているが、本発明はこれに限定されず、該ヘッドカバーＤの他方の外側面（図示せず）等適宜の部位に配置してもよい。また、前記拭き布入れ収納部２ｂの開口部２ｂ３をヘッドカバー本体部２ａの前面方向側又は前面方向側から上下面側まで延在させる構成つまり略逆コ字状に配置してもよい。
尚、上記背面端側２ａ２の開口部２ａ３が存在しない構成のヘッドカバー本体部２ａにも適用される。
【図面の簡単な説明】
【００２２】
【図１】本発明に係るゴルフボール拭き布収納部付きパターのヘッドカバーの最良の実施の形態を示す側面の平面図である。
【図２】図１に示すゴルフボール拭き布付きパターのヘッドカバーの斜視図である。
【図３】本発明に係るゴルフボール拭き布収納部付きパターのヘッドカバーの実施例１を示す側面の平面図である。
【図４】図３に示すゴルフボール拭き布付きパターのヘッドカバーの斜視図である。
【図５】本発明に係るゴルフボール拭き布収納部付きパターのヘッドカバーの実施例２に於ける収納部の一例を示す斜視図である。
【図６】上記図５に示す収納部を取外した際の本発明に係るゴルフボール拭き布付きパターのヘッドカバーの構成を示す側面図である。
【図７】本発明に係るゴルフボール拭き布収納部付きパターのヘッドカバーの実施例３を示す斜視図である。
【図８】従来技術に於けるパターのヘッドカバーの斜視図である。
【符号の説明】
【００２３】
Ａ      拭き布付きパターのヘッドカバー
Ｂ      パターヘッド
Ｃ      拭き布付きパターのヘッドカバー
Ｄ      拭き布付きパターのヘッドカバー
１ａ    ヘッドカバー本体部
１ａ１  背面端側
１ａ２  一方端側
１ａ３  他方端側
１ａ４  マジックテープ
１ａ５  マジックテープ
１ｂ    拭き布入れ収納部
１ｂ１  一方端側
１ｂ２  他方端側
１ｂ３  マジックテープ
１ｂ４  下方端側
１ｂ５  底部
１ｂ６  開口部
１ｃ    ヘッドカバー本体部
１ｃ１  背面端側
１ｃ２  マジックテープ
１ｃ３  マジックテープ
１ｄ    拭き布入れ収納部
１ｄ１  一方端側
１ｄ２  他方端側
１ｄ３  マジックテープ
１ｄ４  底部
２ａ    ヘッドカバー本体部
２ａ１  ヘッドカバー本体部の外側面
２ａ２  ヘッドカバー本体部の背面端側
２ａ３  ヘッドカバー本体部の開口部
２ｂ    拭き布入れ収納部
２ｂ１  拭き布入れ収納部の一方端側
２ｂ２  拭き布入れ収納部の外側面
２ｂ３  拭き布入れ収納部の開口部
２ｂ４  拭き布入れ収納部の開放閉止部材
２ｂ５  開放閉止部材の止め金具
２ｂ６  拭き布入れ収納部の下方端
２ｂ７  拭き布入れ収納部の底部（下方端）
２ｂ８  拭き布入れ収納部の上方端（閉塞部）
ｅ      拭き布入れ収納部
ｅ１    端部
ｅ２    端部
ｅ３    端面
ｅ４    端面
ｅ５    マジックテープ
ｅ６    開口部
ｅ７    底部
ｆ      ヘッドカバー本体部
ｆ１    マジックテープ
ｆ２    マジックテープ
【図１】
2004249085.tif 000003
【図２】
2004249085.tif 000004
【図３】
2004249085.tif 000005
【図４】
2004249085.tif 000006
【図５】
2004249085.tif 000007
【図６】
2004249085.tif 000008
【図７】
2004249085.tif 000009
【図８】
2004249085.tif 000010